【事件の表示】
　特願２００５−　３０６４０「識別媒体および識別媒体を備えた物品」拒絶査定不服審判事件〔平成１８年　８月１７日出願公開、特開２００６−２１５４７７〕について、次のとおり審決する。
【結　論】
　本件審判の請求は、成り立たない。
【理　由】
第１　手続の経緯
　本願は、平成１７年２月７日の出願であって、平成２２年５月１３日付けで手続補正がなされ、同年６月１日付けで拒絶査定がなされ、これに対して、同年９月１日付けで拒絶査定不服審判の請求がなされ、その請求と同時に手続補正がなされ、当審において、平成２３年４月１４日に面接がなされたものである。
　
第２　本願発明
１　本願の特許請求の範囲の請求項１の記載は、次のとおりである（下線は審決で付した。以下同じ。）。
　
「表面に繊維の凹凸を有する織布の布地と、
　所定の色彩を示すインクを前記布地上に印刷することで設けられた所定の色彩を示す通常印刷層と、
　前記通常印刷層上に設けられ、コレステリック液晶を含有したインクによる識別印刷層と
　を備え、
　前記通常印刷層は、前記凹凸を吸収し、平坦化された表面を形成し、
　前記識別印刷層は、
コレステリック液晶層を粉体状に加工した鱗片状のコレステリック液晶層が多数分布したインク
　前記通常印刷層の前記平坦化された表面上において
前記鱗片状のコレステリック液晶層
層状に分布
　
２　上記１の記載は、不明確な記載を含むところ、請求人は、平成２３年４月１４日の面接において、その不明確な記載について以下のように解釈することに同意した。
　
（１）請求項１の「コレステリック液晶層を粉体状に加工した鱗片状のコレステリック液晶層が多数分布したインク」とは、「コレステリック液晶をフィルム状の層に形成し、該層を鱗片状に粉砕した顔料を混入したインク」を意味する。
　
（２）請求項１の「前記鱗片状のコレステリック液晶層」とは、「前記顔料」を意味する。
　
（３）請求項１の「層状に分布」とは、「顔料が重なる所があってもなくてもいい状態で、平坦な表面上に普通に印刷すると、鱗片状の顔料が平坦な表面に沿って平坦に分布すること」を意味する。
　
３　上記２から、本願の請求項１に係る発明（以下「本願発明」という。）は、次のとおりのものであると認められる。
　
「表面に繊維の凹凸を有する織布の布地と、
　所定の色彩を示すインクを前記布地上に印刷することで設けられた所定の色彩を示す通常印刷層と、
　前記通常印刷層上に設けられ、コレステリック液晶を含有したインクによる識別印刷層と
　を備え、
　前記通常印刷層は、前記凹凸を吸収し、平坦化された表面を形成し、
　前記識別印刷層は、
コレステリック液晶をフィルム状の層に形成し、該層を鱗片状に粉砕した顔料を混入したインク
　前記通常印刷層の前記平坦化された表面上において、
前記顔料が重なる所があってもなくてもいい状態で、平坦な表面上に普通に印刷すると、鱗片状の顔料が平坦な表面に沿って平坦に分布
　
第３　引用刊行物及び引用発明
　原査定の拒絶の理由に引用された、本願の出願前に頒布された刊行物である特表平１０−５０８８８２号公報（以下「引用例」という。）には、次の事項が記載されている。
　
１　「角度に依存する色彩の変化は、特に液晶塗膜が黒色の基材上に、例えば選択的に吸収しない支持体上に適用される場合に特に印象深い。優れたバリエーションは、選択的に吸収する支持体を用いて、もしくはカーボン又は着色顔料を液晶材料に混入することで達成することができる。」（３０頁２４〜２７行）
　
２　「
液晶印刷
支持体
紡織繊維
の印刷が可能である
この支持体は黒色
に着色される
液晶被覆は常に印刷された対象物に
観測角と共に変化する色調を付与
　本発明による方法の優れた実施態様は、
オフセット印刷
この印刷技術により、コレステリック液晶印刷ペーストは
支持体上に
塗布され、硬化させ
生じた顔料粒子は、ほぼ同じ形状及びサイズを有し
　
３　「例１９
　液晶性ペーストを例１８と同様に窒素下で水浴で４０℃に加熱した。撹拌しながら、ＰＩＢＳＡ−添加剤０．５重量％（ポリイソブチレンコハク酸無水物）（液晶材料の重量に対して）を２分間撹拌混入し、２，４，６−トリメチルベンゾイルジフェニルホスフィンオキシド１．５重量％（液晶材料の重量に対して）を添加し、１０分間にわたり撹拌した。黄色光のもとで、可変の塗料塗布装置を備えたＦＯＧＲＡ−印刷機で、黒色の領域を有する白色の厚紙支持体上に、１．５ｇ／ｍ2の塗料塗布でオフセットで印刷した。ラビング時間：４０秒。
　窒素下での３分間の滞留時間の後、印刷塗膜を比較例１と同様にＵＶランプを用いる光線照射により完全に硬化させた。黒色の下地上に明らかに可視の緑色から銅色に変化する塗膜が得られ、この塗膜は例１８で製造した塗膜とほぼ同じ色の強度及び均質性であった。光学顕微鏡写真は、この被覆が例１８の場合よりも著しく干渉性であり、例１８と比較して支持体の僅かな箇所が濡れていないか被覆されていなかった。塗膜の機械的粗面性は減少した。」（４０頁１〜１５行）
　
４　上記２から、引用例には、次の発明（以下「引用発明」という。）が記載されていると認められる。
　
「液晶印刷され、観測角と共に変化する色調が付与された支持体であって、
　この支持体は、紡織繊維からなり、黒色に着色されたものであり、
　オフセット印刷技術により、コレステリック液晶印刷ペーストを塗布し、硬化し、ほぼ同じ形状及びサイズを有する顔料粒子を生じさせた支持体。」
　
第４　対比
　本願発明と引用発明とを対比する。
１　引用発明の「『紡織繊維』からなる『支持体』」、「液晶印刷され、観測角と共に変化する色調が付与された支持体」、「コレステリック液晶印刷ペースト」及び「顔料粒子」は、それぞれ、本願発明の「織布の布地」、「識別媒体」、「コレステリック液晶を含有したインク」及び「顔料」に相当する。
　
２　引用発明の「織布の布地（紡織繊維からなる支持体）」は、紡織繊維による凹凸形状の表面を有することが明らかであるから、引用発明の「織布の布地」と本願発明の「織布の布地」とは、「表面に繊維の凹凸を有する」ものである点で一致する。
　
３　引用発明の「識別媒体（液晶印刷され、観測角と共に変化する色調が付与された支持体）」は、「コレステリック液晶を含有したインク（コレステリック液晶印刷ペースト）」を塗布し、硬化し、ほぼ同じ形状及びサイズを有する「顔料（顔料粒子）」を生じさせてなるものであるから、本願発明の「コレステリック液晶を含有したインクによる識別印刷層」を備えており、引用発明の「識別印刷層」と本願発明の「『所定の色彩を示すインクを前記布地上に印刷することで設けられた所定の色彩を示す通常印刷層』上に、『コレステリック液晶をフィルム状の層に形成し、該層を鱗片状に粉砕した顔料を混入したインク』を『印刷する』ことで設けられた『識別印刷層』」とは、「布地上に、顔料を混入したインクを印刷することで設けられた」ものである点で一致するといえる。
　
４　上記１ないし３から、本願発明と引用発明とは、
「表面に繊維の凹凸を有する織布の布地と、
　前記布地上に設けられ、コレステリック液晶を含有したインクによる識別印刷層と
　を備え、
　前記識別印刷層は、顔料を混入したインクを前記布地上に印刷することで設けられている、
　識別媒体。」
である点で一致し、次の点で相違する。
　
相違点：
　本願発明では、前記布地と前記識別印刷層との間に、「所定の色彩を示すインクを前記布地上に印刷することで設けられた所定の色彩を示す通常印刷層」が備えられており、該通常印刷層は、「前記凹凸を吸収し、平坦化された表面を形成」するものであり、前記顔料は、「コレステリック液晶をフィルム状の層に形成し、該層を鱗片状に粉砕した」ものであり、前記通常印刷層の前記平坦化された表面上において、「前記顔料が重なる所があってもなくてもいい状態で、平坦な表面上に普通に印刷すると、鱗片状の顔料が平坦な表面に沿って平坦に分布している」ものであるのに対して、
　引用発明では、そのような通常印刷層がなく、前記布地上に前記識別印刷層が直接設けられており、前記顔料が、どのように製造され、どのような形状を有し、印刷後にどう分布するものであるのか明らかでない点。
　
第５　判断
　上記相違点について検討する。
１　引用例には、角度に依存する色彩の変化は、特に液晶塗膜が黒色の基材上に適用される場合に特に印象深いこと（上記第３の１参照。）及び、白色の支持体の上に黒色の下地を設け、この下地の上に液晶性ペーストを塗布すること（上記第３の３参照。）が記載されている。
　
２　印刷基材の凹凸を吸収し、平坦化された表面を形成するために印刷基材に予め所定の色彩を示す下地印刷層を設けることは、本願の出願前に周知である（以下「周知技術１」という。例．特開２００１−２６０５１７号公報特に【請求項１】及び【００１７】、特開２０００−１５３６２３号公報特に【０００３】、特開平１１−２４５５３９号公報特に【請求項５】及び【０００６】、特開２００４−１４２１７５号公報特に【０００９】参照。）。
　
３　鱗片状のコレステリック液晶顔料は、本願の出願前に周知である（以下「周知技術２」という。例．特開２００３−１４５９１２号公報特に【００１５】、特開２００３−３２６８２３号公報特に【０００４】参照。）。
　
４　フィルム成膜後に該フィルムを粉砕してなる鱗片状のコレステリック液晶は、本願の出願前に周知である（以下「周知技術３」という。例．上記特開２００３−１４５９１２号公報特に【００２７】、特開平１０−２３２３１３号公報特に【００４１】参照。）。
　
５　上記１ないし４から、引用発明において、角度に依存する色彩の変化を印象深いものとするとともに、紡織繊維からなる支持体の表面の凹凸を吸収し、平坦化された表面を形成するために、該支持体に黒色の下地印刷層を設けて（上記１及び２参照。）、該支持体を黒色に着色し、かつ、コレステリック液晶印刷ペーストとして、フィルム成膜後に該フィルムを粉砕してなる鱗片状のコレステリック液晶を顔料として含むものを用いて（上記３及び４参照。）、該コレステリック液晶印刷ペーストを前記下地印刷層の上にオフセット印刷技術により塗布するようになすことは、当業者が、引用例に記載された事項、周知技術１、周知技術２及び周知技術３に基づいて容易に想到し得た程度のことである。
　
６　上記５の「下地印刷層」は、本願発明の「通常印刷層」に相当する。
　また、上記５の平坦化された表面を形成する下地印刷層上にオフセット印刷技術により塗布された鱗片状のコレステリック液晶である顔料が、本願発明と同様に、「前記顔料が重なる所があってもなくてもいい状態で、平坦な表面上に普通に印刷すると、鱗片状の顔料が平坦な表面に沿って平坦に分布している」ものとなることは、当業者に自明である。
　
７　上記５及び６から、引用発明において、上記相違点に係る本願発明の構成となすことは、当業者が、引用例に記載された事項、周知技術１、周知技術２及び周知技術３に基づいて容易になし得た程度のことである。
　
８　効果について
　本願発明の奏する効果は、当業者が、引用発明の奏する効果、引用例に記載された事項、周知技術１の奏する効果、周知技術２の奏する効果及び周知技術３の奏する効果から予測できた程度のものである。
　
９　まとめ
　したがって、本願発明は、当業者が、引用例に記載された発明、引用例に記載された事項、周知技術１、周知技術２及び周知技術３に基づいて容易に発明をすることができたものである。
　
第６　むすび
　以上のとおり、本願発明は、当業者が、引用例に記載された発明、引用例に記載された事項、周知技術１、周知技術２及び周知技術３に基づいて容易に発明をすることができたものであるから、特許法第２９条第２項の規定により特許を受けることができない。
　したがって、本願のその余の請求項に係る発明について検討するまでもなく、本願は拒絶を免れない。
　よって、結論のとおり審決する。